(57)【要約】      （修正有）【課題】燃料電池が出力した電力を定電圧に変換してインターフェースコントローラに出力すること。【解決手段】携帯型燃料電池に関るもので、燃料電池、インターフェースコントローラ、電圧安定化回路、及び、メモリデバイスを具備し、該電圧安定化回路は電力を特定の電圧出力に変換する回路手段を含み、及び、該インターフェースコントローラはデータ通信の変換を含む。該燃料電池が電力を発生し、並びに該電圧安定化回路までに出力して特定電圧の出力電力を該インターフェースコントローラに伝送し、該インターフェースコントローラが電力の送配電、及び、メモリデバイスのデータアクセスを選択し、且つ該電圧安定化回路は該燃料電池が電力を発生する際の電流出力と力率の出力特性に基づいて、該インターフェースコントローラの電圧需要に反応し、回路手段を利用し並びに降圧論理或いは昇圧論理を経由することを特徴とする。【選択図】図１
0003126840.tif 000002
【実用新案登録請求の範囲】
【請求項１】
燃料電池と
データ通信の変換及び電力の伝送インターフェースであるインターフェースコントローラと、
電力を特定の電圧出力に変換する回路手段を含んだ電圧安定化回路、及び、
メモリデバイスを含み
該燃料電池が電力を発生して、並びに、該電圧安定化回路までに出力し、特定電圧出力の電力を該インターフェースコントローラまで伝送し、該インターフェースコントローラが電力の送配電、及び、メモリデバイスのデータアクセスを選択することを特徴とする携帯型燃料電池。
【請求項２】
請求項１記載の携帯型燃料電池において、該燃料電池、電圧安定化回路、インターフェースコントローラ、及び、メモリデバイスが中空カバー体内に設置され、該カバー体はインターフェースコネクタ結構で、該インターフェースコントローラのデータ通信の変換インターフェースに対応するコネクタを具えることを特徴とする、携帯型燃料電池。
【請求項３】
請求項２記載の携帯型燃料電池において、該電圧安定化回路、インターフェースコントローラ、及び、メモリデバイスは、回路板内に設置されることを特徴とする、携帯型燃料電池。
【請求項４】
請求項３記載の携帯型燃料電池において、該燃料電池は、更に一歩進んで該回路板内に設置されることを特徴とする、携帯型燃料電池。
【請求項５】
請求項１記載の携帯型燃料電池において、該インターフェースコントローラは、ＵＳＢ、ＰＣＭＩＣ、ＣＦ、及び、ＳＤＩＯのいずれかの通信インターフェースを選択することを特徴とする、携帯型燃料電池。
【請求項６】
請求項１に記載の携帯型燃料電池において、該電圧安定化回路は該燃料電池が電力を発生する際の電流出力と力率の出力特性に基づきいて、該インターフェースコントローラの電圧需要に反応し、回路手段を利用し並びに降圧論理或いは昇圧論理を経由して燃料電池が出力した電力を定電圧に変換してインターフェースコントローラに出力することを特徴する、携帯型燃料電池。
【請求項７】
請求項１記載の携帯型燃料電池において、該メモリデバイスは、半導体メモリデバイスに対応する回路を統合して構成されることを特徴とする、携帯型燃料電池。
【請求項８】
請求項１記載の携帯型燃料電池において、該インターフェースコントローラとメモリデバイスは、ＡＶプレーヤー、或いは、音声録音装置を構成することを特徴とする、携帯型燃料電池。
【請求項９】
請求項７記載の携帯型燃料電池において、該インターフェースコントローラとメモリデバイスは、ＭＰ３プレーヤー、ＭＰ４プレーヤー、及び、ペン型ボイスレコーダーのいずれかの電子装置を構成することを特徴とする、携帯型燃料電池。
【請求項１０】
請求項１記載の携帯型燃料電池において、該インターフェースコントローラは、燃料電池電力の出力、及び、電力を内部に任意の電力を必要とする電子デバイスに伝送のいずれかの態様を選択することを特徴とする、携帯型燃料電池。
【考案の詳細な説明】
【技術分野】
【０００１】
本考案は、携帯型燃料電池に関り、特に通信インターフェースを介することで、燃料電池の電力送配電及び電気信号の入出力の提供に関するものである。
【背景技術】
【０００２】
従来の燃料電池は、メタノールなどの水素リッチ燃料を利用し、酸化還元反応を経た後、電流ループを形成することで必要電源となる。個人が携行する電子製品が日増しに増えているため、携帯型エネルギーの需要もこれに伴い増え続け、もしも携帯型電子装置と燃料電池を統合できる場合、燃料電池は電子装置本体の電力需要を提供だけでなく、同時に通信インターフェースの電気伝送を介して、電力出力が外部の他の電子装置の使用にも提供できる。また、燃料電池の実際の使用上において、負荷の改変によって燃料電池の電気化学的反応にも影響を及ぼし、その電力出力も改変されることになる。これにより、本考案は、従来の燃料電池の欠陥とニーズに鑑み、改良、創作を切望することで、一種の携帯型燃料電池を創作した。
【考案の開示】
【考案が解決しようとする課題】
【０００３】
本考案の主要な目的は、携帯型燃料電池を提供し、ＵＳＢ、ＰＣＭＩＣ、ＣＦ及びＳＤＩＯのいずれかの通信インターフェースを具備することで、燃料電池の電力出力及び電気信号の入出力を提供することにある。
【０００４】
本考案の別の目的は、携帯型燃料電池を提供し、電圧安定化回路を具備することで、燃料電池が出力する電力を特定の電圧出力に変換する制御を実現することにある。
【０００５】
本考案のまた別の目的は、携帯型燃料電池を提供し、内部のメモリデバイスが、電力供給を具備するデータ保存装置として提供することにある。
【課題を解決するための手段】
【０００６】
前記の目的を達成するため、燃料電池、インターフェースコントローラ、電圧安定化回路、及び、メモリデバイスを具備し、該電圧安定化回路は電力を特定の電圧出力に変換する回路手段を含み、及び、該インターフェースコントローラはデータ通信の変換を含む。該燃料電池が電力を発生し、並びに該電圧安定化回路までに出力して特定電圧の出力電力を該インターフェースコントローラに伝送し、該インターフェースコントローラが電力の送配電、及び、メモリデバイスのデータアクセスを選択し、且つ該電圧安定化回路は該燃料電池が電力を発生する際の電流出力と力率の出力特性に基づいて、該インターフェースコントローラの電圧需要に反応し、回路手段を利用し並びに降圧論理或いは昇圧論理を経由して燃料電池が出力した電力を定電圧に変換してインターフェースコントローラに出力する。
【０００７】
前記電圧安定化回路は該燃料電池が電力を発生する際の電流出力と力率の出力特性に基づいて、該インターフェースコントローラの電圧需要に反応し、回路手段を利用し並びに降圧論理或いは昇圧論理を経由して燃料電池が出力した電力を定電圧に変換してインターフェースコントローラに出力する。
【０００８】
更に、該インターフェースコントローラは、燃料電池電力の出力、及び、電力を内部に任意の電力を必要とする電子デバイスに伝送のいずれかの態様を選択することにある。
【０００９】
該項目を熟知する技術者に本考案の目的、特徴及び効果を理解してもらうため、下記の具体的な実施例を介し付属の図式を組み合わせることで、本考案に対する詳細な説明を以下のとおり行うものである。
【実施例】
【００１０】
図１は本考案である携帯型燃料電池の好ましい実施例を示したデバイス関係図である。図１を見ると、本考案の携帯型燃料電池は、主に燃料電池１、インターフェースコントローラ２、電圧安定化回路３及びメモリデバイス４からなる。該燃料電池１は水素リッチ燃料、酸素燃料及び触媒物質を介して電気化学的反応を起すことで電力を発生する一種のエネルギー変換器で、該燃料電池１が発生した電力を出力できる。該インターフェースコントローラ２は、データ通信の変換インターフェースで、ＵＳＢ、ＰＣＭＩＣ、ＣＦ及びＳＤＩＯのいずれかの通信インターフェースを選択することができ、携帯型燃料電池を電子装置に接続することで、情報の伝送交換及び電力出力を実現する。該電圧安定化回路３は回路手段から達成するもので、該燃料電池１が出力する電力を特定の電圧出力に変換することを制御し、及びメモリデバイス４にメモリ手段の回路を具備し、該メモリデバイス４の好ましい実施方式は半導体メモリデバイスを対応の回路を統合して構成され、並びに該インターフェースコントローラ２を介して該メモリデバイス４のデータアクセスを行うことができる。
【００１１】
図２は本考案である携帯型燃料電池の好ましい実施例を示した立体透視図である。図２を見ると、前記の本考案である携帯型燃料電池に基づき、該燃料電池１、電圧安定化回路３、インターフェースコントローラ２及びメモリデバイス４を中空のカバー体５内に設置でき、且つ該電圧安定化回路３、インターフェースコントローラ２及びメモリデバイス４は回路板６内に配置し、該カバー体５はコネクタ結構で、該インターフェースコントローラ２のデータ通信変換インターフェースに対応することに用いるコネクタ７を具備する。また、該燃料電池１は更に一歩進んで該回路板６内に設置することができ、該燃料電池１は積層回路基板結構で、且つ該燃料電池１の燃料供給、燃料輸送及び燃料補充などの手段は一般的な技術に属すものなので、ここに詳述しない。
【００１２】
更に、前記インターフェースコントローラ２とメモリデバイス４は、例えば一般的なＭＰ３プレーヤー、ＭＰ４プレーヤー、ペン型ボイスレコーダーなどの電子装置といったＡＶプレーヤー或いは音声録音装置を構成する。其中、該インターフェースコントローラ２は、燃料電池１の電力を出力、または電子装置内の任意の電力を必要とする電子デバイスに伝送することを選択できる。
【００１３】
前記の本考案である携帯型燃料電池に基づくと、該電圧安定化回路３は該燃料電池１が電力を発生する際の電流出力と力率の出力特性によって、該インターフェースコントローラ２の電圧需要に反応し、回路手段を利用し並びに降圧論理（bｕｃｋ ｌｏｇｉｃ）或いは昇圧論理（bｏｏｓｔ ｌｏｇｉｃ）を経由して燃料電池１が出力した電力を定電圧に変換してインターフェースコントローラ２に出力し、最終的にインターフェースコントローラ２が定電圧の電力を出力、或いは電子装置内の任意の電力を必要とする電子デバイスまで分配することを選択する。
【００１４】
図３は本考案である携帯型燃料電池の別の好ましい実施例を示したデバイス関係図である。図３を見ると、主に一種の本考案である携帯型燃料電池の使用態様を示し、且つ該インターフェースコントローラ２はＵＳＢ ＯＴＧインターフェースを選択し、該燃料電池１が該電圧安定化回路３を経由して定電圧の電力に変換して該インターフェースコントローラ２に出力し、該インターフェースコントローラ２のＵＳＢ ＯＴＧインターフェースコネクタが従動装置８と電気的に接続する。該従動装置８は、無電源のフラッシュディスク或いは本体に電源を持ち更に充電タイプのＵＳＢインターフェースの電子装置とすることができ、これにより該インターフェースコントローラ２はメモリデバイス４と従動装置８で情報を伝送して交換、及び電力を出力すること或いは該従動装置８に分配することも選択できることで、該従動装置８が必要とする電力を提供でき、該従動装置が必要とする電力には本体の動作に必要な電力及び本体の電力貯蔵装置の蓄電も含むことができる。
【００１５】
また、該インターフェースコントローラ２の電力出力と情報の伝送は、ＵＳＢインターフェースの通常的に使用される特定電気配線を介することにある。
【００１６】
以上に開示したものは、本考案の解釈として好ましい実施例であるが、これによって本考案に対してどのような形式上の限定を意図するものではなくため、同様な創作精神のもとで本考案に関するいかなる修飾或いは改変も全て本考案の意図した保護範囲にある。
【図面の簡単な説明】
【００１７】
【図１】本考案である携帯型燃料電池の好ましい実施例を示したデバイス関係図である。
【図２】本考案である携帯型燃料電池の好ましい実施例を示した立体透視図である。
【図３】本考案である携帯型燃料電池の別の好ましい実施例を示したデバイス関係図である。
【符号の説明】
【００１８】
１  燃料電池
２  インターフェースコントローラ
３  電圧安定化回路
４  メモリデバイス
５  カバー体
６  回路板
７  コネクタ
８  従動装置
【図１】
0003126840.tif 000003
【図２】
0003126840.tif 000004
【図３】
0003126840.tif 000005